(57)【要約】  外科手術部位からの流体の流出を制御するための圧力逃がし装置。圧力逃がし装置は、近位端（１８）および遠位端（２０）からカニューレ本体（１６）全体に沿って延在するねじ山（２４）を備えた遠位端（２０）を有する、カニューレ本体（１６）を含む。装置はまた、カニューレ本体（１６）の近位端（１８）に接続された近位エンドキャップ（２８）、カニューレ本体（１６）と近位エンドキャップ（２８）との間に接続されたスペーサー（４０）、および近位エンドキャップ（２８）とスペーサー（４０）との間に封入された近位シール（１０４）を有する。一つまたは複数の遠位シール（１０６）は、スペーサー（４０）とカニューレ本体（１６）の近位端（１８）との間に封入され得る。装置はさらに、スペーサー（４０）と近位エンドキャップ（２８）の内壁（４４）との間にチャネル（４２）を含む。流体は、チャネル（４２）を通って装置から流出する。【選択図】図６
2021529584.tif 000002
【特許請求の範囲】
【請求項１】
圧力逃がし装置であって、
近位端、および遠位端から前記近位端に向かってカニューレ本体の少なくとも一部分に沿って延在するねじ山を備えた遠位端を有するカニューレ本体、
前記カニューレ本体の前記近位端に接続された近位エンドキャップ、
前記カニューレ本体と前記近位エンドキャップとの間に接続されたチャンバー、
前記近位エンドキャップと前記チャンバーとの間に封入された近位シール、および、
前記チャンバーと前記カニューレ本体の前記近位端との間に封入された第一の遠位シール、
を含む、圧力逃がし装置。
【請求項２】
前記カニューレ本体の前記近位端から延在するポートをさらに含む、請求項１に記載の装置。
【請求項３】
前記ポートに回転可能に接続された弁をさらに含む、請求項２に記載の装置。
【請求項４】
前記チャンバーと前記カニューレ本体の前記近位端との間に封入された第二の遠位シールをさらに含む、請求項１に記載の装置。
【請求項５】
前記第一の遠位シールが、前記第二の遠位シールとスタック構成にある、請求項４に記載の装置。
【請求項６】
前記ねじ山が二条ねじである、請求項１に記載の装置。
【請求項７】
前記チャンバーに一つまたは複数の横方向スロットをさらに含む、請求項１に記載の装置。
【請求項８】
中央長手方向軸が前記装置を貫通し、前記スロットが前記中央長手方向軸に実質的に垂直な方向に延在する、請求項７に記載の装置。
【請求項９】
流体を受けるように構成された前記チャンバー内の空間をさらに含む、請求項１に記載の装置。
【請求項１０】
前記チャンバーが、それを貫通する複数の開口を含む、請求項１に記載の装置。
【請求項１１】
前記近位エンドキャップの近位表面に延在する幾何学的特徴をさらに含む、請求項１に記載の装置。
【請求項１２】
圧力逃がし装置であって、
近位端、および遠位端から前記近位端に向かってカニューレ本体全長に沿って延在するねじを備えた遠位端を有するカニューレ本体、
前記カニューレ本体の前記近位端に接続された近位エンドキャップ、
前記カニューレ本体と前記近位エンドキャップとの間に接続されたスペーサー、
前記近位エンドキャップと前記スペーサーとの間に封入された近位シール、および、
前記スペーサーと前記カニューレ本体の前記近位端との間に封入された一つまたは複数の遠位シール、
を含む、圧力逃がし装置。
【請求項１３】
前記スペーサーと前記近位エンドキャップの内壁との間のチャネルをさらに含む、請求項１２に記載の装置。
【請求項１４】
中央長手方向軸が前記装置を貫通し、前記チャネルが前記中央長手方向軸に実質的に平行な方向に延在する、請求項１３に記載の装置。
【請求項１５】
前記カニューレ本体の前記近位端から延在するポートをさらに含む、請求項１２に記載の装置。
【請求項１６】
中央長手方向軸が前記装置を貫通し、前記ポートが前記中央長手方向軸に実質的に垂直な方向に延在する、請求項１５に記載の装置。
【請求項１７】
前記ポートに回転可能に接続された弁をさらに含む、請求項１５に記載の装置。
【請求項１８】
前記一つまたは複数の遠位シールが、スタック構成にある二つの遠位シールである、請求項１２に記載の装置。
【請求項１９】
前記近位エンドキャップの近位表面に延在する幾何学的特徴をさらに含む、請求項１２に記載の装置。
【請求項２０】
前記ねじ山が二条ねじである、請求項１２に記載の装置。
【発明の詳細な説明】
【技術分野】
【０００１】
関連出願の相互参照
本出願は、２０１８年６月２６日に出願され、「Ｃａｎｎｕｌａ  ｗｉｔｈ  ｐｒｅｓｓｕｒｅ  ｒｅｌｉｅｆ  Ｍｅｃｈａｎｉｓｍ」と題された米国仮特許出願第６２／６９０，０７９号、および２０１９年４月２５日に出願され、「Ｓｐｌａｓｈｌｅｓｓ  Ｃａｎｎｕｌａ」と題された米国仮特許出願第６２／８３８，４４３号に対する優先権を主張するものである。
【０００２】
発明の分野
本発明は、概して外科手術用装置、より具体的には、外科手術部位からの流体の流出を制御するための圧力逃がし装置を対象とする。
【背景技術】
【０００３】
カニューレは、外科手術部位へのポータルに対するアクセスを提供することによって、関節鏡または内視鏡処置を支援するために使用される。流体管理の問題により、カニューレは近位端にシールを備えることが多い。シールは、カニューレを流れる流体を制限するが、同時に流体圧力の発生にも関与し得る。器具または装置をカニューレに通すことによってシールを妨げることにより、自然発生的および制御不能な噴出流体の漏出をもたらし得る。
【０００４】
したがって、器具を外科手術部位まで通す時に、外科手術部位からの流体の流出を制御するための装置が必要となる。
【０００５】
背景技術の項の免責条項：特定の特許／刊行物／製品がこの背景技術の項またはこの開示の他の場所で考察されている限り、これらの考察は考察された特許／刊行物／製品が特許法の目的のための先行技術であるという承認として捉えるべきではない。例えば、考察された特許／刊行物／製品の一部または全ては、十分早期でない場合があり、十分早期に開発された主題を反映していない場合があり、かつ／または特許法の目的のために先行技術に相当するほど、十分に授権するものではない場合がある。特定の特許／刊行物／製品が、この先行技術の項および／または出願全体を通して上記で考察されている限り、その記述／開示はそのそれぞれの全体が参照により全て本明細書に組み込まれる。
【発明の概要】
【０００６】
本発明の実施形態は、外科手術部位からの流体の流出を制御するための圧力逃がし装置を対象とする。一態様によれば、本発明は、近位端、およびカニューレ本体の遠位端から近位端に向かってカニューレ本体の少なくとも一部分に沿って延在するねじ山を備えた遠位端を有するカニューレ本体を含む圧力逃がし装置である。装置はまた、カニューレ本体の近位端に接続された近位エンドキャップ、およびカニューレ本体と近位エンドキャップとの間に接続されたチャンバーを含む。装置はさらに、近位エンドキャップとチャンバーとの間に封入された近位シール、およびチャンバーとカニューレ本体の近位端との間に封入された第一の遠位シールを有する。
【０００７】
別の態様によれば、圧力逃がし装置は、近位端、およびカニューレ本体の遠位端から近位端に向かってカニューレ本体全体に沿って延在するねじ山を備えた遠位端を有するカニューレ本体を含む。装置はまた、カニューレ本体の近位端に接続された近位エンドキャップ、カニューレ本体と近位エンドキャップとの間に接続されたスペーサー、および近位エンドキャップとスペーサーとの間に封入された近位シールを有する。一つまたは複数の遠位シールは、スペーサーとカニューレ本体の近位端との間に封入される。
【０００８】
本発明のこれらおよびその他の態様は、以下に記述される実施形態を参照して明らかになり、解明されるであろう。
【図面の簡単な説明】
【０００９】
本発明の一つ以上の態様は、本明細書の最後に特許請求の範囲の例として具体的に指摘され、明確に特許請求される。本発明の前述の、およびその他の目的、特徴、および利点は、添付図面と併せて取り上げられる以下の記述から明らかである。
【００１０】
【図１】図１は、一実施形態による、圧力逃がし装置の分解斜視略図である。
【図２】図２は、図１の圧力逃がし装置の斜視略図である。
【図３】図３は、代替的実施形態による、圧力逃がし装置の側面斜視略図である。
【図４】図４は、図３の圧力逃がし装置の部分的分解略図である。
【図５】図５は、図３の圧力逃がし装置の近位端の部分的断面略図である。
【図６】図６は、さらに別の実施形態による、圧力逃がし装置の側面斜視略図である。
【図７】図７は、図６の圧力逃がし装置の側面分解略図である。
【図８】図８は、図６の圧力逃がし装置の部分的分解略図である。
【図９】図９は、図６の圧力逃がし装置の近位端の部分的断面略図である。
【図１０】図１０は、図６の圧力逃がし装置のエンドキャップの部分的断面略図である。
【図１１】図１１は、図６の圧力逃がし装置のエンドキャップの上面斜視略図である。
【図１２】図１２は、図６の圧力逃がし装置のエンドキャップの上面斜視略図である。
【発明を実施するための形態】
【００１１】
本発明の態様およびその特定の特徴、利点、および詳細は、添付図面に図示した非限定的な例を参照しながらより完全に以下に説明される。本発明の詳細を不必要に不明瞭にしないよう、周知の構造の説明は省略される。しかし、当然のことながら、詳細な説明および特定の非限定的な例は、本発明の態様を示すものであるが、例示のみの目的で与えられ、限定の目的ではない。基礎となる発明の概念の趣旨および／または範囲内での様々な置換、修正、追加、および／または配設は、本開示から当業者には明らかであろう。
【００１２】
ここで図面を参照すると、同様の参照番号が全体を通して同様の部分を指しており、図１は、一実施形態による、圧力逃がし装置１０の分解斜視略図を示す。圧力逃がし装置１０は、近位端１２および遠位端１４を有する。遠位端１４は、外科手術部位のポータル内への挿入のために構成される。遠位端１４は、カニューレ本体１６を含む。カニューレ本体１６は、細長く、管状であり、その間に延在する内部容積２２を有する開放された近位端１８および開放された遠位端２０を有する。内部容積２２は、外科手術器具および装置を収容するようにサイズ設定され、構成される。図示の実施形態では、図示するように、カニューレ本体１６の遠位端２０は、カニューレ本体１６の外表面２６の少なくとも一部分に沿ってその遠位端２０からねじ山２４が近位に延在するようにねじ込まれる。ねじ山２４は、外科手術部位で装置１０を固定するための固定機構として機能する。
【００１３】
圧力逃がし装置１０は、さらに圧力逃がし機構１００を含む。図１に示す実施形態では、圧力逃がし機構１００は、少なくとも二つの防水シール、近位シール１０４、および遠位（または一次）シール１０６を備えた円筒形チャンバー１０２を備える。近位シール１０４は、チャンバー１０２の近位端１０８に取り付けられ、遠位シール１０６は、チャンバー１０２の遠位端１１０に取り付けられる。遠位シール１０６は、妨げられない場合、従来のカニューレシールとして機能し、カニューレ本体１６を流れる流体を制限するバリアを提供する。
【００１４】
さらに図１を参照すると、遠位シール１０６が妨げられる場合、結果として生じた流体漏出は、最初にカニューレ本体１６からチャンバー１０２内にもたらされる。近位シール１０４は、スプラッシュガードとして機能し、装置１０の近位端１２からの制御不能な流体漏出を防止するように構成される。漏洩からの流体は、制御された様式で、代わりにチャンバー１０２から流れ出て、ユーザから離れる。図１に示すように、チャンバー１０２は、その近位端１０８に複数の開口１１２を含む。近位シール１０４によって遮断された漏出した流体は、開口１１２を通ってチャンバー１０２から流れ出る。図示の実施形態では、開口１１２は、二つの実質的に平行な列の開口１１２などのパターン（ただしそうである必要はない）で配置される。
【００１５】
図１に示すように、圧力逃がし装置１０の近位端１２は、エンドキャップ２８をさらに含む。エンドキャップ２８は、図２に示すように、その中に特徴３０を有する近位表面３２を備えた円筒である。図２に示す実施形態では、近位表面３２の特徴３０は、六角形状の凹部である。特徴３０は、装置１０を外科手術部位の所望の位置に回転させるための、取付または駆動機構への接続用である。図２に示すように、エンドキャップ２８は、チャンバー１０２の近位端１０８と嵌合し、その間に近位シール１０４を封入する。さらに、チャンバー１０２とカニューレ本体１６の近位端１８は接続され、その間に遠位シール１０６を封入する。
【００１６】
ここで図３〜図５を参照すると、代替的実施形態による、圧力逃がし装置１０の様々な概略図が示される。図３は、圧力逃がし装置１０の側面斜視図を示す。図３の装置１０は、カニューレ本体１６の遠位端２０から、その外表面２６に沿って二条ねじ２４を含む。二条ねじ２４は、カニューレ本体１６がより少ない回転で挿入され得るように、固定強度を維持しながら、より長いねじのピッチを支援する。
【００１７】
図４に示すように、装置の部分的分解側面図が示され、カニューレ本体１６の近位端１８から延在するポート４８を含む。ポート４８は、カニューレ本体１６からの流体の流れの出口を提供する。ポート４８は、ポート４８を通る流体の流れを許容または阻止するための制御弁５０を含む。図４の装置１０はまた、三つのシール：二つの一次（遠位）シール１０６および近位シール１０４を有する圧力逃がし機構１００を含む。チャンバー１０２（または「一次キャップ」）は、示されるように、近位シール１０４を一次シール１０６から分離する。
【００１８】
図５は、装置１０の近位端１２の部分的断面略図を示す。図５に示すように、流体は、カニューレ本体１６の遠位端２０（図３）から一次シール１０６（経路１）に向かって流れる。一次シール１０６をバイパスする噴出漏洩は、近位シール１０４（経路２）によって捕捉される。近位シール１０４は、ユーザが経験する「水はね」の量を大幅に減少させる。使用の過程で、一次シール１０６と近位シール１０４との間のチャンバー１０２内の空間３８（図４）（すなわち、凹部または区画）が流体で充填される。
【００１９】
チャンバー１０２内の空間３８（図４）内の流体の存在は、噴出漏洩に対する追加的な保護を提供する。過剰な流体は、チャンバー１０２から、チャンバー１０２の外壁３６の横方向スロット３４を通って漏出し、シール１０４、１０６間の流体の蓄積を防止する。スロット３４は、装置１０を貫通する中央長手方向ｙ−ｙ軸および装置１０を通る流体の流れ（通路１、２）に対して横断的である。具体的には、スロット３４は、中央長手方向ｙ−ｙ軸に対して実質的に垂直であり、ポート４８の延長の方向に対して実質的に平行なｘ−ｘ軸に沿った方向に延在する。
【００２０】
ここで図６〜図１２を参照すると、さらに別の実施形態による、圧力逃がし装置１０の様々な概略図が示される。図６に示す実施形態では、カニューレ本体１６は、二条ねじ２４（一条または多条ねじとし得る）を含む。二条ねじ２４は、図示のように、カニューレ本体１６の遠位端２０で始まり、カニューレ本体１６の全長を延在し得る（ただし、そうである必要はない）。二条ねじ２４は、固定強度を維持しながら、より長いねじのピッチを支援する。これにより、カニューレ本体１６は、従来型カニューレと比較してより少ない回転で挿入される。
【００２１】
次に図７〜８を参照すると、装置１０は、図５の装置１０の実施形態におけるものに類似した、装置１０から出る流体の流れを制御するための弁５０を備えたポート４８を含む。図７に示すように、弁５０はＬ字型のペットコック弁である。弁５０は、図８に示すように、カニューレ本体１６の近位端１８に接続される。弁５０は、第一の位置と第二の位置との間で回転可能であり得る。第一の位置では、弁５０は、カニューレ本体１６からの流体の流れを制限または阻止し、第二の位置では、弁５０はカニューレ本体１６からの流体の流れを許容する。図７および図８に示すように、装置１０は、近位シール１０４と二つの一次（遠位）シール１０６との間にスペーサー４０を含む。
【００２２】
ここで図９〜１０を参照すると、装置１０の近位端１２の部分的断面略図が示される。装置１０が使用されると、流体はカニューレ本体１６を通って一次シール１０６に流れる。噴出漏洩は、近位シール１０４によって捕捉され、これにより、ユーザが経験する「水はね」の量が大幅に減少する。使用の過程で、一次シール１０６と近位シール１０４との間の空間３８（図７〜８）は、流体で充填される。シール１０４、１０６間の流体の存在は、噴出漏洩に対するさらなる保護を提供する。図９〜１０に示すように、過剰な流体は、チャンバー１０２から、チャンバー１０２の内壁４４のチャネル４２（経路３）を通って漏出し、シール１０４、１０６間の流体圧力の蓄積を防止する。図１０に示す実施形態では、チャネル４２は、中央長手方向ｙ−ｙ軸に実質的に平行な方向に延在する。
【００２３】
ここで図１１〜１２を参照すると、装置１０のエンドキャップ２８の上面斜視略図が示される。図１１は、スペーサー４０へのエンドキャップ２８の取り付け部位５２を示す。エンドキャップ２８の構造は、過剰な流体が、装置１０のエンドキャップ２８の周りの経路（図１２の経路４）をたどるような構造である。流体経路４６の幾何学的形状およびチャンバー１０２の構造設計を鑑みると、チャンバー１０２は、エンドキャップ２８の配向にかかわらず、部分的に流体で充填されたままであり得る。過剰な流体は、次いで、チャンバー１０２の内壁４４の側面に沿って、ユーザから離れるようにまっすぐ下に落ちることができる。
【００２４】
本明細書で定義され、かつ使用されるすべての定義は、辞書の定義、参照により組み込まれる文書内の定義、および／または定義された用語の通常の意味を管理するものと理解されるべきである。
【００２５】
本明細書で様々な実施形態が説明され、かつ図示されてきたが、当業者は、本明細書に記載の機能を実施し、かつ／または結果および／または一つ以上の利点を得るための様々な他の手段および／または構造を容易に想起するであろうし、またそのような変形および／または変更の各々は、本明細書に記載の実施形態の範囲内であると見なされる。より一般的に、当業者は、本明細書に記載されるすべてのパラメータ、寸法、材料、および構成が、例示的であり、実際のパラメータ、寸法、材料、および／または構成が、教示が使用される一つ以上の特定の用途に依存することを容易に理解するであろう。当業者は、本明細書に記載される特定の実施形態に対する多数の同等物を単に通常の実験を用いて認識することになり、または確認することができる。従って、前述の実施形態は、単に例示的なものとして提示されており、添付した特許請求の範囲およびその等価物の範囲内で、実施形態は、具体的に記述および特許請求された以外の別の方法で、実行されてもよいことが理解されよう。本開示の実施形態は、本明細書に記述される個々の特徴、システム、物品、材料、キット、および／または方法を対象とする。さらに、こうした特徴、システム、物品、材料、キット、および／または方法が相互に矛盾しない場合、二つ以上のこうした特徴、システム、物品、材料、キット、および／または方法の任意の組み合わせが、本開示の範囲内に含まれる。
【００２６】
本明細書で使用される用語は、特定の実施形態を記述する目的のためのみのものであり、本発明を限定することを意図していない。本明細書で使用される場合、単数形「ａ」、「ａｎ」および「ｔｈｅ」は、文脈がそうでないことを明確に示さない限り、複数形も含むことが意図される。用語「備える（ｃｏｍｐｒｉｓｅ）」（ならびに「備える（ｃｏｍｐｒｉｓｅｓ）」および「備える（ｃｏｍｐｒｉｓｉｎｇ）」などのｃｏｍｐｒｉｓｅの任意の形態）、「有する（ｈａｖｅ）」（ならびに「有する（ｈａｓ）」および「有する（ｈａｖｉｎｇ）」などのｈａｖｅの任意の形態）、「含む（ｉｎｃｌｕｄｅ）」（ならびに「含む（ｉｎｃｌｕｄｅｓ）」および「含む（ｉｎｃｌｕｄｉｎｇ）」などのｉｎｃｌｕｄｅの任意の形態）、および「包含する（ｃｏｎｔａｉｎ）」（ならびに「包含する（ｃｏｎｔａｉｎｓ）」および「包含する（ｃｏｎｔａｉｎｉｎｇ）」などのｃｏｎｔａｉｎの任意の形態）は、オープンエンドの連結動詞であることがさらに理解されるだろう。結果として、方法または装置は、一つ以上のステップまたは要素を「備える（ｃｏｍｐｒｉｓｅ）」、「有する（ｈａｖｅ）」、「含む（ｉｎｃｌｕｄｅ）」、または「包含する（ｃｏｎｔａｉｎ）」。同様に、一つ以上の特徴を「備える（ｃｏｍｐｒｉｓｅ）」、「有する（ｈａｖｅ）」、「含む（ｉｎｃｌｕｄｅ）」または「包含する（ｃｏｎｔａｉｎ）」方法のステップ、または装置の要素は、それらの一つ以上の特徴を有するが、それらの一つ以上の特徴のみを保持することに限定されない。さらに、特定のやり方で構成される装置または構造は、少なくともそのように構成されるが、リストされていない方法で構成されてもよい。
【００２７】
以下の特許請求の範囲における全ての手段またはステップに機能要素を加えたものの対応する構造、材料、行為および同等物は、もしあれば、具体的に特許請求される他の特許請求の範囲の要素と組み合わせて、機能を実行するための任意の構造、材料、または行為を含むことを意図している。本発明の記述は、例示および記述の目的で提示されてきたが、網羅的であること、または本発明に開示された形態で限定されることを意図しない。多くの修正および変形は、本発明の範囲および趣旨から逸脱することなく、当業者には明らかであろう。実施形態は、本発明の一つ以上の態様の原理および実際の応用を最もよく説明し、他の当業者が、考えられる特定の用途に適した様々な修正を有する様々な実施形態について本発明の一つ以上の態様を理解できるように選ばれ、かつ記述された。
【図１】
2021529584.tif 000003
【図２】
2021529584.tif 000004
【図３】
2021529584.tif 000005
【図４】
2021529584.tif 000006
【図５】
2021529584.tif 000007
【図６】
2021529584.tif 000008
【図７】
2021529584.tif 000009
【図８】
2021529584.tif 000010
【図９】
2021529584.tif 000011
【図１０】
2021529584.tif 000012
【図１１】
2021529584.tif 000013
【図１２】
2021529584.tif 000014
【国際調査報告】
2021529584.tif 000015
2021529584.tif 000016
2021529584.tif 000017